(57)【要約】【課題】            従来造影糸は単独での使用状態として一本づつ単品ごとに使用する場合にも腰が弱く扱いにくく、受部と挿し込み部による結合部分がスポンジ等に使用した時、その厚さよりも長尺となり危険性があったという点であり、アッセンブリとした場合、装着具の先端をフラットとした中空ニードルでは対象物を貫通させることが非常に困難であるという点である。【解決手段】        一端に係合部を形成した受部を備え、他端に前記受部の係合部に挿し込まれる挿し込み部を備え、その挿し込み部の受部の係合部への挿し込みによってループを形成する糸材に造影剤を添加した造影糸において、前記した受部と挿し込み部の係合によって構成される結合部分は、結合方向に沿った長さが、結合方向と直交する幅の２倍より小さいこととし、前記した造影糸を複数本並設して前記受部及び挿し込み部をランナー部材に切離可能に接続しアッセンブリとしてあることとする。【選択図】          図１
2014019982.tif 000002
【特許請求の範囲】
【請求項１】
一端に係合部を形成した受部を備え、他端に前記受部の係合部に挿し込まれる挿し込み部を備え、その挿し込み部の受部の係合部への挿し込みによってループを形成する糸材に造影剤を添加した造影糸において、前記した受部と挿し込み部の係合によって構成される結合部分は、結合方向に沿った長さが、結合方向と直交する幅の２倍より小さいことを特徴とする造影糸。
【請求項２】
前記した挿し込み部は基体に直角方向に突出して備えられ受部には係合部としてその挿し込み部が挿し込まれる係合孔が備えられていることを特徴とする請求項１に記載の造影糸。
【請求項３】
前記した挿し込み部には断面角丸の平行四辺形のポール状とした嵌着体を備え、受部は、その挿し込み部のポール外面が直交方向に嵌合され、その断面の平行四辺形の一つのコーナーと係合する係合部を備えていることを特徴とする請求項１に記載の造影糸。
【請求項４】
前記した造影糸を複数本並設して前記受部及び挿し込み部をランナー部材に切離可能に接続しアッセンブリとしてあることを特徴とする請求項１から３のうち１項に記載の造影糸。
【請求項５】
前記した造影剤として硫酸バリウムを用いてあることを特徴とする請求項１から４のうち１項に記載の造影糸。
【請求項６】
前記した硫酸バリウムは芯糸に溶解させ、その芯糸の周囲をカバリング剤で被覆してあることを特徴とする請求項１から５のうち１項に記載の造影糸。
【請求項７】
前記したカバリング剤はＰＥＴ（ポリエチレン・テレフタレート）、もしくはナイロンが用いてあることを特徴とする請求項６に記載の造影糸。
【請求項８】
前記した造影糸は撚ってあることを特徴とする請求項１から７のうち１項に記載の造影糸。
【請求項９】
前記した造影糸は編んであることを特徴とする請求項１から７のうち１項に記載の造影糸。
【請求項１０】
前記したアッセンブリのランナー部材を装填し、対象物へ単一としての造影糸をランナー部材から切離して装着するための装着用具であって、挿し込み部が内部を通過し、造影糸が通過するスリットが形成されたニードル部材の先端を鋭角にカットして鋭利なものとしてあることを特徴とする造影糸の装着用具。
【請求項１１】
前記したスリットはカーブさせてあることを特徴とする請求項９に記載の造影糸の装着用具。
【発明の詳細な説明】
【技術分野】
【０００１】
本発明は造影糸及びその装着用具に関し、特に医用として使用されるガーゼ、医用不織布ガーゼ、脱脂綿、スポンジ体等の補助用品に対して装着され、例えば内視鏡手術等の際に、万一体内に該用品が残存している場合に、その発見をいち早くＸ線で認識することができるようにした造影糸及び装着用具に関する。
【背景技術】
【０００２】
従来、上記した目的の造影糸の存在は知られている。この造影糸は例えばガーゼを織成する際の経糸もしくは緯糸として数本が組み込まれるものとなっている。
【０００３】
しかしながら、前記したガーゼ等の補助用品は内視鏡手術等の際には、装着具を用いて臓器間に配置され、臓器間の接触や癒着を防止し、血液、体液を吸収するが、その装着、取り外し作業も非常に繊細で慎重さを要求される作業となっている。
【０００４】
そこで、近時は、前記した補助用品、特に臓器間スペーサとしてのスポンジ体の一部に、装着具の先端で摘んだり、引っ掛けたりするためのリング体を付設することが行なわれている。しかし、このリング体は、該補助用品の製造に伴なって予め一体的に装備するものであるため、製造の手間がかかり、その分価格も高騰してしまうものとなっている。
【先行技術文献】
【特許文献】
【０００５】
出願人は、本願発明に関して先行する技術文献を調査したが、格別に本願発明と関連し、類似すると思われる文献は発見できなかった。
【発明の概要】
【発明が解決しようとする課題】
【０００６】
本発明が解決しようとする問題点は、従来造影糸はガーゼの織糸の一部として使用される等補助用具の一部に組み入れられることが多く、単独での使用状態として一本づつ単品ごとに使用する場合にも腰が弱く扱いにくく、また、その造影糸の構成もファイバー状となっているため、強度の点でも問題があり、扱いが容易ではなかったという点であり、単品としてループを形成した際に、受部と挿し込み部による結合部分がスポンジ等に使用した時、その厚さよりも長尺となり危険性があったという点である。
【０００７】
また、その造影糸を、ランナー部材を有するアッセンブリとした場合、造影糸を対象となる補助用品に装着するについて、その補助用品は目が詰まっていたり、スポンジ体であったりすると、既知の装着具の先端をフラットとした中空ニードルでは対象物を貫通させることが非常に困難であるという点である。
【課題を解決するための手段】
【０００８】
この問題点を解決するために、本発明に係る造影糸は、一端に係合部を形成した受部を備え、他端に前記受部の係合部に挿し込まれる挿し込み部を備え、その挿し込み部の受部の係合部への挿し込みによってループを形成する糸材に造影剤を添加した造影糸において、前記した受部と挿し込み部の係合によって構成される結合部分は、結合方向に沿った長さが、結合方向と直交する幅の２倍より小さいことを特徴とし、前記した挿し込み部は基体に直角方向に突出して備えられ受部には係合部としてその挿し込み部が挿し込まれる係合孔が備えられていることを特徴とし、前記した挿し込み部には断面角丸の平行四辺形のポール状とした嵌着体を備え、受部は、その挿し込み部のポール外面が直交方向に嵌合され、その断面の平行四辺形の一つのコーナーと係合する係合部を備えていることを特徴とし、前記した造影糸を複数本並設して前記受部及び挿し込み部をランナー部材に切離可能に接続しアッセンブリとしてあることを特徴としている。
【０００９】
また、本発明に係る造影糸は、前記した造影剤として硫酸バリウムを用いてあることを特徴とし、前記した硫酸バリウムは芯糸に溶解させ、その芯糸の周囲をカバリング剤で被覆してあることを特徴とし、前記したカバリング剤はＰＥＴ（ポリエチレン・テレフタレート）、もしくはナイロンが用いてあることを特徴とし、前記した造影糸は撚ってあることを特徴とし、前記した造影糸は編んであることを特徴としている。
【００１０】
さらに、本発明に係る造影糸の装着用具は、前記したアッセンブリのランナー部材を装填し、対象物へ単一としての造影糸をランナー部材から切離して装着するための装着用具であって、挿し込み部が内部を通過し、造影糸が通過するスリットが形成されたニードル部材の先端を鋭角にカットして鋭利なものとしてあることを特徴とし、前記したスリットはカーブさせてあることを特徴としている。
【発明の効果】
【００１１】
本発明に係る造影糸は上記のように構成されている。造影糸をランナー部材を有するアッセンブリとしてあるため、目的対象物への装着を手作業でなく、専用の装着用具を用いて行うことができ、しかも、その作業を連続的に実施することができる。加えて、造影糸を撚った状態としてあるため剛性が増し、取り扱いも容易なものとなり、受部と挿し込み部による結合部分の長さがスポンジの厚さよりも小さくすることができる。
【００１２】
また、装着用具の中空ニードルは先端を鋭利なものとしてあるので、容易に目の詰まった対象物も貫通でき、糸材が通過するスリットをカーブさせてあるので、装着作業に適度な抵抗が生じ、作業のクリック感を得ることができる。
【図面の簡単な説明】
【００１３】
【図１】造影糸のアッセンブリを示す図である。
【図２】部分拡大正面図である。
【図３】側面図である。
【図４】受部断面図である。
【図５】装着用具に取り付けられる中空ニードルの正面図である。
【図６】側面図である。
【図７】背面図である。
【図８】中空ニードルとアッセンブリの受部と挿し込み部の関係を示す図である。
【図９】装着用具の正面図である。
【図１０】側面図である。
【図１１】背面図である。
【図１２】造影糸の受部と挿し込み部の別の例を示す正面図である。
【図１３】平面図である。
【図１４】結合部分を示す正面図である。
【図１５】平面図である。
【図１６】側面図である。
【発明を実施するための形態】
【００１４】
図面として示し、実施例で説明したように構成したことで実現した。
【実施例１】
【００１５】
次に、本発明の好ましい実施の一例を図面を参照して説明する。図中１は本発明を実施した造影糸２、２‥のアッセンブリである。この造影糸２は芯線として硫酸バリウムを５０〜６０％溶解させたナイロンを用いてあり、その芯線の周囲をカバーリング剤としてＰＥＴ（ポリエチレン・テレフタレート）あるいはナイロンで芯線との比を８：２〜７：３として被覆したものとなっており、その被覆状態の糸を複数本撚って撚糸に構成して、腰も強度も強く、強力規格をクリアした数値を有している。尚、造影糸２の太さは径約０．４ｍｍ、繊度は１６１６〜１８８０ｄｔｅｘを想定している。また、造影糸２は撚ることに代えて編むことで構成することもできる。
【００１６】
この造影糸２、２‥の一方端部には、係合孔３を形成した受部４が一体的に備えられ、他端には、前記係合孔３に挿し込まれ、造影糸２をループ状とする挿し込み部５が一体的に備えられている。前記係合孔３には係合爪３ａ、３ａが設けられており、挿し込み部５に形成された係止部５ａがこの係合爪３ａ、３ａと掛合することで造影糸２のループ状態がロックされる。
【００１７】
また、前記した挿し込み部５は基体６に直角方向に突出して備えられているもので、この基体６及び受部４は短寸の切断可能な接続部７、７を介して各々ランナー部材８、９の連結突部８ａ、９ａに造影糸２、２‥が平行となるよう一体的に連接されてアッセンブリとされている。また、図８として示す結合状態で、基体６の外端面から受部４の外端面の長さは、その結合状態の幅の２倍以内に収まる寸法となっている。
【００１８】
さらに、図１２乃至図１６は受部及び挿し込み部の別の実施例を示す。図中１５が受部を示しており、造影糸２はこの受部１５の中心から一方側に片寄せた位置で連接されている。この受部１５の造影糸２の連接面と反対面には、先端を内方に向けた係合爪１６を形成した係合部１７が形成されている。
【００１９】
一方、造影糸２の他端には挿し込み部１９がやはり、この挿し込み部１９の中心から一方側に片寄せられた位置で連接されている。この挿し込み部１９には造影糸２の連接面と反対面に一対の平行な突出部２０、２１が設けられており、この突出部２０、２１の先端寄り間に前記係合部１７に嵌合される角丸の断面平行四辺形のポール状と嵌着体１８を備えている。
【００２０】
この受部１５と挿し込み部１９は、造影糸２をループ状として対向させた時に、いずれか一方を９０度捻り回転させることで嵌合がなされる。この結合状態で受部１５と挿し込み部１９とを合わせた結合方向の長さはその幅の略１．４〜１．５倍程度の寸法に収まるものとなっている。
【００２１】
このアッセンブリ１はランナー部材８、９が既知のループ形成ファスナー部材用である装着用具１０の装填部１１にセットされ、トリガー１２の操作によって接続部７、７を連結突部８ａ、９ａからカッターで切離し、造影糸２を単品として対象物となるガーゼ、医用不織布ガーゼ、脱脂綿、スポンジ体等の補助用品に対してループ状に装着されることとなる。
【００２２】
この装着用具１０はトリガー１２の操作で内部を挿し込み部５を押し送りするためのピストンバーが挿入される中空ニードル１３が取り付けられている。この中空ニードル１３は目の詰まった対象物を貫通させるため、先端を２０度から３０度程度カットして鋭利なものとしてある。
【００２３】
また、この中空ニードル１３には、造影糸２が通過するためのスリット１４が形成されており、このスリット１４は造影糸２の通過の際に多少の抵抗感を与え、最終的にクリック感を出すことができるようにカーブをつけてあり、この捻り角度は４５度から９０度とされているもので、このスリット１４の開放はカットされた先端の、中空ニードル１３の基端から最も距離の短い部分とされ、そのカットされた先端で造影糸２の排出が最速でなされるようになっている。
【産業上の利用可能性】
【００２４】
本実施例に係る造影糸及びその装着用具は上記のように構成されている。この造影糸２、２のアッセンブリとしての本数や長さ等は適宜、必要に応じて採択することができ、中空ニードルもその長さや先端のカット角度やカーブを形成する捻り角度等は必要に応じて採択することができる。
【符号の説明】
【００２５】
１    アッセンブリ
２    造影糸
３    係合孔
３ａ  係合爪
４    受部
５    挿し込み部
５ａ  係止部
６    基体
７    接続部
８    ランナー部材
８ａ  連結突部
９    ランナー部材
９ａ  連結突部
１０  装着用具
１１  装填部
１２  トリガー
１３  中空ニードル
１４  スリット
１５  受部
１６  係合爪
１７  係合部
１８  嵌着体
１９  挿し込み部
２０、２１  突出部
【図１】
2014019982.tif 000003
【図２】
2014019982.tif 000004
【図３】
2014019982.tif 000005
【図４】
2014019982.tif 000006
【図５】
2014019982.tif 000007
【図６】
2014019982.tif 000008
【図７】
2014019982.tif 000009
【図８】
2014019982.tif 000010
【図９】
2014019982.tif 000011
【図１０】
2014019982.tif 000012
【図１１】
2014019982.tif 000013
【図１２】
2014019982.tif 000014
【図１３】
2014019982.tif 000015
【図１４】
2014019982.tif 000016
【図１５】
2014019982.tif 000017
【図１６】
2014019982.tif 000018